(57)【要約】  シート材容器（Ｃ）は、内容物（９６）を収容する収容部（１０ａ）を有して、積層シート（１２０）で構成されている。積層シート（１２０）は、内側シート（１２３）と、内側シート（１２３）の外側を覆う中間シート（１２２）と、中間シート（１２２）の外側を覆う外側シート（１２１）と、を含んで、収容部（１０ａ）を挟んだ両側に配設されている。外側シート（１２１）及び中間シート（１２２）のそれぞれの少なくとも一部に、可視光を透過可能な透光部（３４ａ、３４ｂ、３４ｃ）が設けられている。内側シート（１２３）又は内容物（９６）は、透光部（３４ａ、３４ｂ、３４ｃ）によりシート材容器（Ｃ）の外方から視認可能に構成されている。
2020012606.tif 000002
【特許請求の範囲】
【請求項１】
内容物を収容する収容部を有して、積層シートで構成されたシート材容器であって、
前記積層シートは、
内側シートと、
該内側シートの外側を覆う中間シートと、
該中間シートの外側を覆う外側シートと、を含んで、前記収容部を挟んだ両側に配設されており、
前記内側シートの周縁の少なくとも一部どうしが接合されることによって、前記内側シートは内袋を形成しており、
前記外側シートと前記中間シートとには、互いに部分的に接合された接合部と、非接合とされた非接合部とがあり、
該非接合部における前記外側シートと前記中間シートとの間に充填材が封入された充填部が形成されており、
前記外側シート及び前記中間シートのそれぞれの少なくとも一部に、可視光を透過可能な透光部が設けられており、
前記外側シート及び前記中間シートのそれぞれの前記透光部は、前記シート材容器の外方から見て互いに重なる部分を有しており、
前記内側シート又は前記内容物は、前記透光部により前記シート材容器の外方から視認可能に構成されていることを特徴とするシート材容器。
【請求項２】
前記内側シートの一部は、前記中間シートから離間可能である請求項１に記載のシート材容器。
【請求項３】
前記内側シートの一部は、前記中間シートから離間可能であり、
前記内袋の容積は、前記内容物の収容量に応じて増減可能である請求項１に記載のシート材容器。
【請求項４】
前記透光部は、前記外側シート及び前記中間シートに設けられた開口である請求項１から３のいずれか一項に記載のシート材容器。
【請求項５】
前記開口は、前記外側シート及び前記中間シートにおける折り返されて対向する周縁部間の隙間である請求項４に記載のシート材容器。
【請求項６】
前記透光部は、前記外側シート及び前記中間シートのそれぞれにおける前記充填部を形成している前記非接合部に設けられており、
前記内側シートの少なくとも一部に加飾が施された加飾部が設けられており、
該加飾部は、
前記シート材容器の外方から見て前記透光部に重なる位置に形成されており、
前記透光部により前記シート材容器の外方から可視光が透過する位置にある請求項１から３のいずれか一項に記載のシート材容器。
【請求項７】
前記透光部は、前記外側シートにおける前記充填部を形成している前記非接合部に設けられており、
前記中間シートの少なくとも一部に加飾が施された中間加飾部が設けられており、
該中間加飾部は、
前記シート材容器の外方から見て前記外側シートに設けられた前記透光部に重なる位置に形成されており、
前記透光部により前記シート材容器の外方から可視光が透過する位置にある請求項１から３のいずれか一項に記載のシート材容器。
【請求項８】
前記外側シートのうち前記充填部を形成している前記非接合部に加飾が施された外側加飾部が設けられている請求項７に記載のシート材容器。
【請求項９】
前記充填部は、凹凸形状を有して、
前記外側加飾部は、前記凹凸形状の部位を含んで形成されている請求項８に記載のシート材容器。
【請求項１０】
前記充填部は、前記シート材容器における両側部分の少なくとも一方に配設されており、
前記内側シートの少なくとも一部に加飾が施された加飾部が設けられており、
該加飾部は、前記内側シートのうち前記両側部分の間において、三次元的な形状で形成されている請求項１から５のいずれか一項に記載のシート材容器。
【請求項１１】
前記充填部は、前記シート材容器における前記両側部分にそれぞれ設けられている請求項１０に記載のシート材容器。
【請求項１２】
前記内袋に接続されて、前記内容物を外部に吐出可能な取出部を備え、
前記中間シートと前記外側シートは、前記取出部と、前記シート材容器の底部とに亘って設けられており、
前記充填部は、前記取出部と前記底部とを結ぶ方向に直交する方向の前記両側部分において前記底部から起立して設けられている請求項１０又は１１に記載のシート材容器。
【請求項１３】
前記内側シートは、
前記シート材容器の前記両側部分にあり前記収容部と前記充填部との間において前記充填部に対向する対向面と、
前記シート材容器の前記両側部分にある前記対向面の間にあり前記対向面に交差する交差面と、を有し、
前記加飾部は、少なくとも前記対向面に設けられている請求項１０から１２のいずれか一項に記載のシート材容器。
【請求項１４】
前記加飾部は、前記対向面と前記交差面とに設けられており、多面形状に形成されている請求項１３に記載のシート材容器。
【請求項１５】
前記内側シートは、
前記収容部を挟んだ両側に配設された前記中間シートどうしに前記両側部分を挟持されており、
前記両側部分にある被挟持部と、
前記中間シートどうしに挟持されていない中央部分にある中央部と、を有し、
前記加飾部は、前記中央部に設けられている請求項１０から１４のいずれか一項に記載のシート材容器。
【請求項１６】
前記内側シートに加飾が施された加飾部が設けられており、
前記内側シートの前記加飾部は、前記シート材容器の外方から見て、前記中間シート及び前記外側シートのそれぞれの前記透光部に重なる位置にあり、前記透光部により前記シート材容器の外方から可視光が透過する位置にある請求項１から５のいずれか一項に記載のシート材容器。
【請求項１７】
前記内側シートに加飾が施された加飾部が設けられ、
前記外側シートに加飾が施された外側加飾部が設けられており、
前記加飾部は、前記シート材容器の外方から見て、前記中間シート及び前記外側シートのそれぞれの前記透光部に重なる位置にあり、前記透光部により前記シート材容器の外方から可視光が透過する位置にある請求項１から５のいずれか一項に記載のシート材容器。
【請求項１８】
前記内側シートに加飾が施された加飾部が設けられ、
前記中間シートに加飾が施された中間加飾部が設けられており、
前記加飾部は、前記シート材容器の外方から見て、前記中間シート及び前記外側シートのそれぞれの前記透光部に重なる位置にあり、
前記中間加飾部は、前記シート材容器の外方から見て、前記外側シートの前記透光部に重なる位置にあり、
前記加飾部及び前記中間加飾部は、前記透光部により前記シート材容器の外方から可視光が透過する位置にある請求項１から５のいずれか一項に記載のシート材容器。
【請求項１９】
前記中間シートに加飾が施された中間加飾部が設けられ、
前記外側シートに加飾が施された外側加飾部が設けられており、
前記中間加飾部は、前記シート材容器の外方から見て、前記外側シートの前記透光部に重なる位置にあり、前記透光部により前記シート材容器の外方から可視光が透過する位置にある請求項１から５のいずれか一項に記載のシート材容器。
【請求項２０】
前記内側シートに加飾が施された加飾部が設けられ、
前記中間シートに加飾が施された中間加飾部が設けられ、
前記外側シートに加飾が施された外側加飾部が設けられており、
前記加飾部は、前記シート材容器の外方から見て、前記中間シート及び前記外側シートのそれぞれの前記透光部に重なる位置にあり、
前記中間加飾部は、前記シート材容器の外方から見て、前記外側シートの前記透光部に重なる位置にあり、
前記加飾部、前記中間加飾部及び前記外側加飾部のそれぞれは、前記透光部により前記シート材容器の外方から可視光が透過する位置にある請求項１から５のいずれか一項に記載のシート材容器。
【請求項２１】
前記加飾部、前記中間加飾部及び前記外側加飾部は、前記内側シートと前記中間シートと前記外側シートとの位置関係に応じた異なる加飾表現である請求項２０に記載のシート材容器。
【請求項２２】
前記中間加飾部及び前記外側加飾部の少なくとも一部は、透光性を有し、前記シート材容器の外方から見て、前記内側シートに設けられた前記加飾部の少なくとも一部に重ねられており、
前記加飾部、前記中間加飾部及び前記外側加飾部のそれぞれは、重なった状態で前記シート材容器の外方から可視光が透過する位置にある請求項２０又は２１に記載のシート材容器。
【請求項２３】
前記内側シート、前記中間シート又は前記外側シートの少なくともいずれかに加飾が施された加飾部が設けられ、
該加飾部は、前記シート材容器において前記収容部を挟んだ両側のうち少なくとも一方側に設けられており、
前記透光部は、前記内側シート、前記中間シート及び前記外側シートのすべてにおいて、前記シート材容器における前記一方側の逆側から前記加飾部に重なる部位に設けられている請求項１から５のいずれか一項に記載のシート材容器。
【請求項２４】
前記加飾部は、前記シート材容器において前記収容部を挟んだ両側に設けられている請求項２３に記載のシート材容器
【請求項２５】
請求項１から２４のいずれか一項に記載のシート材容器と、
前記収容部に収容された前記内容物と、を備える内容物詰めシート材容器。
【発明の詳細な説明】
【技術分野】
【０００１】
本発明は、シート材容器及び内容物詰めシート材容器に関する。
【背景技術】
【０００２】
シート材により構成された軟包装容器として、近年、保形性の向上等を目的として、シート材の層間に部分的に非接合部を設け、その非接合部に空気などの充填材を封入して充填部を構成したタイプのものが提案されている（例えば、特許文献１）。
先行技術文献
特許文献１  国際公開第２０１４／０２５６０９号
【発明の概要】
【０００３】
本発明は、内容物を収容する収容部を有して、積層シートで構成されたシート材容器であって、
前記積層シートは、
内側シートと、
該内側シートの外側を覆う中間シートと、
該中間シートの外側を覆う外側シートと、を含んで、前記収容部を挟んだ両側に配設されており、
前記内側シートの周縁の少なくとも一部どうしが接合されることによって、前記内側シートは内袋を形成しており、
前記外側シートと前記中間シートとには、互いに部分的に接合された接合部と、非接合とされた非接合部とがあり、
該非接合部における前記外側シートと前記中間シートとの間に充填材が封入された充填部が形成されており、
前記外側シート及び前記中間シートのそれぞれの少なくとも一部に、可視光を透過可能な透光部が設けられており、
前記外側シート及び前記中間シートのそれぞれの前記透光部は、前記シート材容器の外方から見て重なる部分を有しており、
前記内側シート又は前記内容物は、前記透光部により前記シート材容器の外方から視認可能に構成されていることを特徴とするシート材容器に関する。
【図面の簡単な説明】
【０００４】
【図１】第１実施形態に係るシート材容器の正面図である。
【図２】第１実施形態に係るシート材容器の側面図である。
【図３】内容物が収容された状態のシート材容器についての図１のIII-III断面図であり、（ａ）は、収容部内に内容物が満たされた状態を示し、（ｂ）は、（ａ）の状態から内容物が減った状態を示す図である。
【図４】（ａ）は、シート材容器の内袋を構成する内側シートの展開状態の平面図、（ｂ）は、外側シートの展開状態の平面図、（ｃ）は、中間シートの展開状態の平面図である。
【図５】外側シートの一部と中間シートの一部を接合して充填部を形成した状態を示す展開状態の平面図である。
【図６】第２実施形態に係るシート材容器（内容物詰めシート材容器）を示す上側斜視図である。
【図７】内容物詰めシート材容器の断面図であり、図６のVII-VII断面を示す図である。
【図８】（ａ）は、シート材容器の内袋を構成する内側シートの展開状態の平面図、（ｂ）は、外側シートの展開状態の平面図（外面側）を示す図、（ｃ）は、中間シートの展開状態の平面図（外面側）を示す図である。
【図９】外側シートの一部と中間シートの一部を接合して充填部を形成した状態を示す展開状態の平面図（内面側）を示す図である。
【図１０】第３実施形態に係るシート材容器（内容物詰めシート材容器）を示す正面図である。
【図１１】第３実施形態に係るシート材容器（内容物詰めシート材容器）の側面図である。
【図１２】内容物詰めシート材容器の断面図であり、図１０のXII-XII断面を示す図である。
【図１３】第４実施形態に係るシート材容器を示す正面図である。
【図１４】（ａ）は、シート材容器の内袋を構成する内側シートの展開状態の平面図、（ｂ）は、外側シートの展開状態の平面図（外面側）を示す図、（ｃ）は、中間シートの展開状態の平面図（外面側）を示す図である。
【図１５】外側シートの一部と中間シートの一部を接合して充填部を形成した状態を示す展開状態の平面図（内面側）を示す図である。
【図１６】第５実施形態に係る内容物詰めシート材容器を示す正面図である。
【図１７】内容物詰めシート材容器の断面図であり、図１６のXVII-XVII断面を示す図である。
【図１８】加飾部が露出した状態のシート材容器を示す正面図である。
【図１９】逆止弁付きのポンプ付きキャップを示す模式的な部分断面図である。
【発明の詳細な説明】
【０００５】
特許文献１に記載されたような、充填部を有する容器では、充填部に隣接する部位、すなわち充填物封入部とそれ以外の部分との境界に存在する窪み（段差）に収容物が残留しやすい。そして、充填物封入部とそれ以外の部分との境界に存在する窪みにおける収容物の残留を抑制するため、充填部を有する被覆体の内側に、収容物を収容する内袋を設けることが考えられる。
【０００６】
本発明は、充填材が封入された充填部を有し、かつ内袋を形成する内側シート又は内容物がシート材容器の外方から視認可能なシート材容器、及び内容物詰めシート材容器に関するものである。本発明によれば、充填部によって剛性を高めつつ、シート材容器の外面のみを加飾する通常のフィルムデコレーションでは表現不可能な立体感をシート材容器に付与することができる。
【０００７】
以下、本発明の好ましい実施形態の例について、図面を用いて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。
【０００８】
＜＜概要＞＞
まず、本実施形態に係るシート材容器Ｃ（内容物詰めシート材容器ＣＡ）の概要について、図１〜図３を参照して説明する。
図１は、第１実施形態に係るシート材容器Ｃの正面図、図２は側面図である。図３は、内容物９６が収容された状態のシート材容器Ｃ（内容物詰めシート材容器ＣＡ）についての図１のIII-III断面図であり、図３（ａ）は、収容部１０ａ内に内容物９６が満たされた状態を示し、図３（ｂ）は、図３（ａ）の状態から内容物９６が減った状態を示す図である。
【０００９】
本実施形態に係るシート材容器Ｃは、図３に示すように、内容物９６を収容する収容部１０ａを有して、積層シート１２０で構成されている。
積層シート１２０は、内側シート１２３と、内側シート１２３の外側を覆う中間シート１２２と、中間シート１２２の外側を覆う外側シート１２１と、を含んで、収容部１０ａを挟んだ両側に配設されている。
内側シート１２３の周縁の少なくとも一部どうしが接合されることによって、内側シート１２３は内袋１０を形成している。外側シート１２１と中間シート１２２とには、互いに部分的に接合された接合部２５と、非接合とされた非接合部６１、６２とがある。この接合部２５による接合は、例えば、ヒートシールにより行われている。
非接合部６１、６２における外側シート１２１と中間シート１２２との間に充填材が封入された充填部４１、４２が形成されている。外側シート１２１及び中間シート１２２のそれぞれの少なくとも一部に、可視光を透過可能な図３に示す透光部３４ａ、３４ｂ及び図２に示す透光部３４ｃが設けられている。
外側シート１２１に透光部３４ａが設けられ、中間シート１２２に透光部３４ｂが設けられており、外側シート１２１及び中間シート１２２のそれぞれの透光部３４ａ、３４ｂは、シート材容器Ｃの外方から見て互いに重なる部分を有している。ここで、「透光部」には、図２に示して後述する開口２６のように、空間に部材がないことで透光性を有するものを含む。外側シート１２１のうち部材がない部分（透光部）と、中間シート１２２のうち部材がない部分（透光部）とが互いに重なる部分を有することによって開口２６が形成される。本実施形態においては、外側シート１２１のうち部材がない部分と、中間シート１２２のうち部材がない部分と、をまとめて透光部３４ｃと表現している。
外側シート１２１及び中間シート１２２のそれぞれの透光部３４ａ、３４ｂは、シート材容器Ｃの外方から見て互いに重なる部分を有していればよく、透光部３４ａ及び透光部３４ｂのすべての領域で互いに重なっている必要はない。
内側シート１２３又は内容物９６は、透光部３４ａ、３４ｂ、３４ｃによりシート材容器Ｃの外方から視認可能に構成されている。
【００１０】
図３各図に示すように、内容物詰めシート材容器ＣＡは、シート材容器Ｃと、収容部１０ａに収容された内容物９６と、を備えるものである。
【００１１】
上記の「収容部１０ａを挟んだ両側」とは、収容部１０ａの少なくとも一部を挟んだ両側の意味であり、例えば、収容部が断面五角形状である場合には、任意の一面側と、該一面に対向する二面のいずれか又は両方側と、の両側を含む概念である。また、収容部１０ａを挟む方向は任意であり、シート材容器Ｃのように表裏方向の他、上下方向、横幅方向、斜め上下方向であってもよい。
また、内側シート１２３、中間シート１２２及び外側シート１２１の各シートは、更に積層された層から成るものであってもよい。
内袋１０を形成している内側シート１２３としては、後述する内側シート１２３は一枚のシートを折り曲げ、その周縁の一部同士を接合するものであるが、複数枚の内側シートを折り曲げず、その周縁の一部同士を接合して内袋１０を形成してもよい。
「充填部４１、４２」は、非接合部６１、６２すべてに形成されているものに限定されず、複数ある非接合部の一部に形成されていてもよい。
【００１２】
「充填材」は、流体（気体または液体）、固体（例えば粉粒体、樹脂ペレット等）又は半固体（例えば、発泡材等）とすることができ、空気などの気体であることが好ましい。
「透光部３４ａ、３４ｂ、３４ｃ」は、透明又は半透明であることにより透光性を有する材質であるもの（透光部３４ａ、３４ｂ）の他、外側シート１２１及び中間シート１２２に設けられた開口２６（図２及び図３各図）のような空間に部材がないことで透光性を有するもの（透光部３４ｃ）も含む概念である。透光部は、中間シート１２２及び外側シート１２１の全体に形成されているものであってもよい。
【００１３】
また、本実施形態に係る透光部３４ａ、３４ｂ、３４ｃは、各シートにおいて、内側シート１２３の少なくとも一部に対して、シート材容器Ｃの外方からの可視光を直線的に透過可能な位置に配設されている。なお、本書における「透光性」とは、厚さや材質に基づく光の透過性を示すものであり、特に可視光（４００ｎｍ〜７００ｎｍ）を透過可能な機能をいう。「可視光を透過可能」については、シート材容器Ｃにおける他の部位と比較して、可視光透過率が高く形成されているものでもよい。また、可視光透過率は、好ましくは５％以上、より好ましくは１０％以上、また、好ましくは１００％以下である。可視光透過率は、ＪＩＳ  Ｋ７３７５：２００８に準拠して測定することができる。
透光部３４ａ、３４ｂがシート材容器Ｃの外方から見て互いに重なる部分を有していることについて、具体的には、透光部３４ａ、３４ｂは、シート材容器Ｃの収容部１０ａを挟んだ両側のうち少なくとも一方側において重なる部分を有している。
【００１４】
具体的には、透光部３４ａ、３４ｂの少なくとも一部の間に透光性を有しない部材（遮光部材）が設けられていない。一方で、透光性を有する部位を少なくとも備える部材であれば、透光部３４ａ、３４ｂとの間に当該部材が設けられていてもよい。このように構成されていることで、可視光は、外側シート１２１及び中間シート１２２における透光部３４ａ、３４ｂを介して内側シート１２３に、遮光部材によって遮断されずに透過可能となる。
また、本書における「視認可能」とは、明瞭に認識できるものに限定されず、何らかの存在を人が認識できることを意味するものである。
内容物９６は、内側シート１２３が可視光を透過可能な透光性を有している場合（換言すると、内側シート１２３が透光部を有している場合）に、内側シート１２３を介してシート材容器Ｃの外方から視認可能となる。
【００１５】
軟包装材である積層シートから構成されるシート材容器においては、内容器を構成するシートの変形に追従して、外容器が変形してしまう。
一方で、本実施形態に係るシート材容器Ｃは、外容器を構成する外側シート１２１と中間シート１２２との間に充填部４１、４２を備えることで剛性が高められ、一定程度安定的に形状を維持することができる。
上記構成によれば、内側シート１２３又は内容物９６がシート材容器Ｃの外方から視認可能に構成されていることで、シート材容器Ｃの外面のみを加飾する通常のフィルムデコレーションでは表現不可能な立体感をシート材容器Ｃに付与することができる。
【００１６】
〔第１実施形態〕
次に、本発明の第１実施形態に係るシート材容器Ｃの詳細について、図１〜図３に加えて、図４及び図５を主に参照して説明する。図４（ａ）は、シート材容器Ｃの内袋１０を構成する内側シート１２３の展開状態の平面図、図４（ｂ）は、外側シート１２１の展開状態の平面図、図４（ｃ）は、中間シート１２２の展開状態の平面図である。図５は、外側シート１２１の一部と中間シート１２２の一部を接合して充填部４１、４２を形成した状態を示す展開状態の平面図である。
【００１７】
本実施形態に係るシート材容器Ｃは、図３に示して上記したように、内容物９６を収容する収容部１０ａを有して、積層シート１２０で構成されている。
積層シート１２０は、内側シート１２３と、内側シート１２３の外側を覆う中間シート１２２と、中間シート１２２の外側を覆う外側シート１２１と、を含んでいる。
本実施形態においては、積層シート１２０が略中央部から折り返されて、その一部の周縁が接合することによってシート材容器Ｃを形成している。
【００１８】
折り返した片方の端部に天井部２２が設けられている。天井部２２は、収容部１０ａ内の内容物９６を外部に排出可能な開口部１４を有している。また、天井部２２には、収容部１０ａ内の内容物９６を外部に吐出させるためのスパウト３０が取り付けられている。スパウト３０は、内側シート１２３の開口部１４及び中間シート１２２の開口部２４ａ、外側シート１２１の開口部２４を挿通して設けられる。
【００１９】
シート材容器Ｃにおいては、図２に側面図を示すように、接合された外側シート１２１及び中間シート１２２における折り返されて対向する周縁部が、上下方向の中央部分で接合されずに離間していることで、周縁部間の隙間である開口２６が形成されている。この開口２６が上記の透光部３４ｃとして、シート材容器Ｃの外方から視認可能となるように内部の内側シート１２３（加飾部３６ａ）を露出させている。
なお、本明細書において上下関係の説明は、特に断りのない場合は、シート材容器Ｃを図１のように自立させた状態での位置関係を説明したものである。すなわち、シート材容器Ｃが水平な載置面に載置された状態の底部が下方であり、その反対側が上方となる。
【００２０】
シート材容器Ｃは、外側シート１２１と中間シート１２２との間の非接合部６１、６２に充填材が充填されることによって、厚み方向に膨らんでいる充填部４１、４２を含む。充填部４１、４２は、中間シート１２２の縁部分に沿って上下方向に延在している。
【００２１】
図３各図に示すように、内側シート１２３の一部は、中間シート１２２から離間可能であり、内袋１０の容積は、内容物９６の収容量に応じて増減可能である。本実施形態に係る内側シート１２３は、中間シート１２２の天井部２２の一部以外から離間可能に構成されている。
【００２２】
このように、内側シート１２３の一部が中間シート１２２から離間可能に構成されていることで、内袋１０内の内容物９６を容易に排出することができ、内袋１０内における内容物９６の残留を抑制できる。また、使用者は、シート材容器Ｃの外方から透光部３４ａ、３４ｂ、３４ｃを介して内袋１０の膨らみ具合を視認可能となる。このため、使用者は、内袋１０の膨らみ具合から内容物９６の収容量を確認することが可能となる。
【００２３】
さらには、内袋１０の内容積の減少に応じて、内側シート１２３に皺が生じるようにして内側シート１２３が弛み、内側シート１２３と中間シート１２２との間に空間が生じることになる。このため、内側シート１２３によって構成される内袋１０が複雑な立体的な形状となって、シート材容器Ｃの外観に現れることとなり、特徴的な美観がシート材容器Ｃに付与されることになる。
【００２４】
図４（ａ）に示すように、内側シート１２３に加飾が施された加飾部３６ａが設けられている。内側シート１２３の加飾部３６ａは、シート材容器Ｃの外方から見て、外側シート１２１及び中間シート１２２のそれぞれの透光部３４ａ、３４ｂ、３４ｃに重なる位置にあり、透光部３４ａ、３４ｂ、３４ｃによりシート材容器Ｃの外方から可視光が透過する位置にある。
具体的には、加飾部３６ａと透光部３４ｂとの間、及び透光部３４ａと透光部３４ｂとの間に透光性を有しない部材が設けられていない。また、加飾部３６ａと透光部３４ｃとの間、並びに外側シート１２１及び中間シート１２２のうち透光部３４ｃを構成する部位どうしの間に透光性を有しない部材が設けられていない。
一方で、透光性を有する部位を少なくとも備える部材であれば、内側シート１２３と中間シート１２２との間、又は中間シート１２２と外側シート１２１との間における、加飾部３６ａと透光部３４ａ、３４ｂ又は透光部３４ｃを構成する部位との間に当該部材が設けられていてもよい。
このように構成されていることで、可視光は、外側シート１２１及び中間シート１２２における透光部３４ａ、３４ｂ、３４ｃを介して、内側シート１２３の加飾部３６ａに透過可能となる。
【００２５】
本実施形態に係るシート材容器Ｃにおいては、内側シート１２３全体が有彩色を有している。つまり、有彩色によって加飾された加飾部３６ａは、内側シート１２３の全体に形成されている。
本発明はこのような構成に限定されず、内側シート１２３の外表面のみに有彩色が施されていてもよく、一部にのみに有彩色、無彩色又は模様が施されていてもよく、また透光性の有無を問わないものである。
本書における「加飾部」は、模様、色彩、文字や記号を含み、オフセット、グラビア、フレキソ、スクリーンの任意の印刷によって形成されるものの他、既に印刷されたシュリンクフィルムを貼り付けるようにして形成されるものも含む概念である。
【００２６】
本実施形態に係る外側シート１２１及び中間シート１２２においては、これらの全体が透光性を有するものである。つまり、透光部３４ａは、外側シート１２１の全体に、透光部３４ｂは、中間シート１２２の全体に形成されている。このように、外側シート１２１及び中間シート１２２の全体に透光部３４ａ、３４ｂが形成されていることで、内容積に応じて形状が変化する内袋１０（内側シート１２３）の露出範囲を広くして、美観を高めることができる。
【００２７】
なお、本発明はこのような構成に限定されず、外側シート１２１及び中間シート１２２の一部のみが透光部３４ａ、３４ｂを備えるものであってもよく、透光部３４ａ、３４ｂの一部分のみがシート材容器Ｃの外方から見て互いに重なっていてもよい。また、開口２６である透光部３４ｃのみを備えるものであってもよい。そして、透光部３４ａ、３４ｂ、３４ｃは、加飾部３６ａをシート材容器Ｃの外方から視認可能な位置に、外側シート１２１及び中間シート１２２のそれぞれの少なくとも一部に形成されていればよい。
【００２８】
このような構成によれば、使用者は透光部３４ａ、３４ｂ、３４ｃを介して内側シート１２３に設けられた加飾部３６ａを視認することができることになり、シート材容器Ｃに美観を付与することができる。
【００２９】
〔第２実施形態〕
次に、第２施形態に係るシート材容器Ｃ１（内容物詰めシート材容器ＣＡ１）について、図６〜図９を参照して説明する。
図６は、第２実施形態に係るシート材容器Ｃ１（内容物詰めシート材容器ＣＡ１）を示す上側斜視図、図７は、内容物詰めシート材容器ＣＡ１の断面図であり、図６のVII-VII断面を示す図である。図８（ａ）は、シート材容器Ｃ１の内袋１０Ｓを構成する内側シート１２３Ｓの展開状態の平面図、図８（ｂ）は、外側シート１２１Ｓの展開状態の平面図（外面側）を示す図、図８（ｃ）は、中間シート１２２Ｓの展開状態の平面図（外面側）を示す図である。図９は、外側シート１２１Ｓの一部と中間シート１２２Ｓの一部を接合して充填部４１Ｓ、４２Ｓ、４４Ｓを形成した状態を示す展開状態の平面図（内面側）を示す図である。
【００３０】
なお、図６において、説明の便宜上、線種を区別して加飾部を示している。具体的には、後述する外側シート１２１Ｓの外側加飾部３６ｅ、３６ｆ、３６ｇを太線で示している。また、中間シート１２２Ｓの中間加飾部３６ｂ、３６ｃ、３６ｄのうち、外側シート１２１Ｓと密着している部分を細線で示し、充填部４１Ｓ、４２Ｓ、４４Ｓを形成している部分で外面よりも内側に位置する中間加飾部３６ｂ、３６ｃ、３６ｄを破線で示している。
【００３１】
第２実施形態に係るシート材容器Ｃ３は、充填部４１Ｓ、４２Ｓ、４４Ｓを有して、立体的な花束状の加飾が施された容器である。
本実施形態に係るシート材容器Ｃ３は、図６〜図９に示すように、内側シート１２３Ｓと、内側シート１２３Ｓの外側を覆う中間シート１２２Ｓと、中間シート１２２Ｓの外側を覆う外側シート１２１Ｓと、を含む積層シート１２０Ｓで構成されている。
外側シート１２１Ｓと中間シート１２２Ｓとの間には、充填材が封入された充填部４１Ｓ、４２Ｓ、４４Ｓが一部に形成されている。
【００３２】
第２実施形態に係るシート材容器Ｃ１において、透光部３４ｄ、３４ｅ、３４ｆは、外側シート１２１Ｓにおける充填部４１Ｓ、４２Ｓ、４４Ｓを形成している非接合部６１Ｓ、６２Ｓ、６４Ｓに設けられている。また、第２実施形態に係るシート材容器Ｃ１は、外側シート１２１Ｓに加飾が施された外側加飾部３６ｅ、３６ｆ、３６ｇが設けられている。外側加飾部３６ｅ、３６ｆ、３６ｇは、少なくとも非接合部６１Ｓ、６２Ｓ、６４Ｓに形成されている。
そして、中間シート１２２Ｓの少なくとも一部に、加飾が施された中間加飾部３６ｂ、３６ｃ、３６ｄが設けられている。
中間加飾部３６ｂ、３６ｃ、３６ｄは、シート材容器Ｃ１の外方から見て外側シート１２１Ｓに設けられた透光部３４ｄ、３４ｅ、３４ｆに重なる位置に形成されており、透光部３４ｄ、３４ｅ、３４ｆによりシート材容器Ｃ１の外方から可視光が透過する位置にある。
上記構成に係るシート材容器Ｃ１においては、充填部４１Ｓ、４２Ｓ、４４Ｓが設けられている部分に透光部３４ｄ、３４ｅ、３４ｆがあり、中間シート１２２Ｓに設けられた中間加飾部３６ｂ、３６ｃ、３６ｄが透光部３４ｄ、３４ｅ、３４ｆに重なる位置にある。
【００３３】
具体的には、中間シート１２２Ｓにおける中間加飾部３６ｂ、３６ｃ、３６ｄが設けられている部位と、外側シート１２１Ｓにおける透光部３４ｄ、３４ｅ、３４ｆが設けられている部位との間に、透光性を有しない部材が設けられていない。一方で、透光性を有する部位を少なくとも備える部材であれば、中間シート１２２Ｓと外側シート１２１Ｓとの間における、中間加飾部３６ｂ、３６ｃ、３６ｄと透光部３４ｄ、３４ｅ、３４ｆとの間に当該部材が設けられていてもよい。
このように構成されていることで、可視光は、外側シート１２１の透光部３４ｄ、３４ｅ、３４ｆを介して、中間シート１２２Ｓの中間加飾部３６ｂ、３６ｃ、３６ｄに透過可能となる。なお、本書における「可視光が透過する」とは、物理現象として可視光が通ることを意味し、人の視覚によっては認識できないものを含む。
【００３４】
このような構成によれば、充填部４１Ｓ、４２Ｓ、４４Ｓの外表面を形成する外側シート１２１Ｓと、中間加飾部３６ｂ、３６ｃ、３６ｄとの間に充填された充填材（空気等）分の隙間が生じることになる。したがって、透光性を有する外側シート１２１Ｓに設けられた外側加飾部３６ｅ、３６ｆ、３６ｇとともに、中間シート１２２Ｓに設けられた中間加飾部３６ｂ、３６ｃ、３６ｄによって立体的な装飾表現が可能となる。
【００３５】
透光部３４ｅ、３４ｇは、外側シート１２１Ｓ及び中間シート１２２Ｓのそれぞれにおける充填部４１Ｓ、４２Ｓ、４４Ｓを形成している非接合部６１Ｓ、６２Ｓ、６４Ｓに設けられている。内側シート１２３Ｓ（内袋１０Ｓ）の少なくとも一部に加飾が施された加飾部３６ｈが設けられている。
本実施形態に係るシート材容器Ｃ１においては、内側シート１２３Ｓ全体が有彩色を有している。つまり、有彩色によって加飾された加飾部３６ｈは、内側シート１２３Ｓの全体に形成されている。外側シート１２１Ｓ及び中間シート１２２Ｓのそれぞれの透光部３４ｅ、３４ｇは、シート材容器Ｃ１の外方から見て互いに重なる部分を有している。加飾部３６ｈは、シート材容器Ｃ１の外方から見て外側シート１２１Ｓにおける透光部３４ｅ、中間シート１２２Ｓにおける透光部３４ｇに重なる位置に形成されており、透光部３４ｅ、３４ｇによりシート材容器Ｃ１の外方から可視光が透過する位置に設けられている。
【００３６】
内側シート１２３Ｓにおける加飾部３６ｈが設けられている部位と、中間シート１２２Ｓにおける透光部３４ｇが設けられている部位との間、及び透光部３４ｇと透光部３４ｅとの間に透光性を有しない部材が設けられていない。一方で、透光性を有する部位を少なくとも備える部材であれば、内側シート１２３Ｓと中間シート１２２Ｓとの間、又は中間シート１２２Ｓと外側シート１２１Ｓとの間における、加飾部３６ｈと透光部３４ｇとの間、及び透光部３４ｇと透光部３４ｅとの間に当該部材が設けられていてもよい。
このように構成されていることで、可視光は、外側シート１２１の透光部３４ｅ及び中間シート１２２Ｓの透光部３４ｇを介して、内側シート１２３Ｓの加飾部３６ｈに透過可能となる。
本発明はこのような構成に限定されず、内側シート１２３Ｓの外表面のみに有彩色が施されていてもよく、一部にのみに有彩色、無彩色又は模様が施されていてもよく、また透光性の有無を問わない。
【００３７】
本実施形態に係る外側シート１２１Ｓのうち充填部４１Ｓ、４２Ｓ、４４Ｓを形成している非接合部６１Ｓ、６２Ｓ、６４Ｓに、加飾が施された外側加飾部３６ｅ、３６ｆ、３６ｇが設けられている。
したがって、充填部４１Ｓ、４４Ｓに充填材が充填されて、厚み方向に膨らむことで、外側シート１２１Ｓの表面に凹凸形状を備えさせ、外側加飾部３６ｅ、３６ｆ、３６ｇが凹凸形状の部位を含むようにすれば、外側加飾部３６ｅ、３６ｆ、３６ｇをより立体的に表現でき、加飾効果を高めることが可能である。
さらに、外側加飾部３６ｅ、３６ｆ、３６ｇと、中間シート１２２Ｓに設けられた中間加飾部３６ｂ、３６ｃ、３６ｄとが組み合わさることによって、異なる加飾面で立体的な加飾効果を奏することが可能である。
【００３８】
外側加飾部３６ｅ、３６ｆ、３６ｇは、中間シート１２２Ｓに設けられた中間加飾部３６ｂ、３６ｃ、３６ｄに対してずれて配置されていてもよく、外側加飾部３６ｅ、３６ｆ、３６ｇが透光性を有するのであれば重なって配置されていてもよい。また、外側加飾部３６ｅ、３６ｆ、３６ｇが透光性を有さずに、ある方向において中間加飾部３６ｂ、３６ｃ、３６ｄに完全に重なっていてもよい。この場合であっても、外側シート１２１Ｓにおいて外側加飾部３６ｅ、３６ｆ、３６ｇではない部分に設けられた透光部３４ｄ、３４ｅ、３４ｆから中間シート１２２Ｓに設けられた中間加飾部３６ｂ、３６ｃ、３６ｄを他の方向から視認可能であればよい。
【００３９】
特に、シート材容器Ｃ１における異なる奥行位置において、加飾表現をすることができるため装飾のバリエーションを増やすことができる。例えば、内側シート１２３Ｓの加飾部３６ｈにおいて水中の環境を表わす加飾部、中間シート１２２Ｓにおいて地上の環境を表わす中間加飾部、外側シート１２１Ｓにおいて空中の環境を表わす外側加飾部を設けるようにしてもよい。
つまり、加飾部３６ｈ、中間加飾部３６ｂ、３６ｃ、３６ｄ及び外側加飾部３６ｅ、３６ｆ、３６ｇが、内側シート１２３Ｓと中間シート１２２Ｓと外側シート１２１Ｓとの位置関係に応じた異なる加飾表現としてもよい。このようにすることで、空間として立体的で統一感のある加飾効果をシート材容器Ｃ１に付与することが可能である。
【００４０】
〔第３実施形態〕
次に、第３施形態に係るシート材容器Ｃ２（内容物詰めシート材容器ＣＡ２）について、図１０〜図１２を参照して説明する。
図１０は、第３実施形態に係るシート材容器Ｃ２（内容物詰めシート材容器ＣＡ２）を示す正面図、図１１は側面図である。図１２は、内容物詰めシート材容器ＣＡ２の断面図であり、図１０のXII-XII断面を示す図である。
【００４１】
本実施形態に係るシート材容器Ｃ２は、花瓶のように加飾された内袋１０Ｔがシート材容器Ｃ２の外方から視認可能に構成されている容器である。
本実施形態に係るシート材容器Ｃ２は、図１２に示すように、内容物９６を収容する内袋１０Ｔ（収容部１０Ｔａ）を有して、積層シート１２０Ｔで構成され、内袋１０Ｔに接続されて、内容物９６を外部に吐出可能な図１０に示す取出部（ポンプ付きキャップ９０）を備えている。
積層シート１２０Ｔは、内側シート１２３Ｔと、内側シート１２３Ｔの外側を覆う中間シート１２２Ｔと、中間シート１２２Ｔの外側を覆う外側シート１２１Ｔと、を含んでいる。外側シート１２１Ｔと中間シート１２２Ｔとの間には、充填材が封入された充填部４１Ｔ、４２Ｔが一部に形成されている。
【００４２】
本実施形態においては、積層シート１２０Ｔが略中央部から折り返されて、その一部の周縁が接合することによってシート材容器Ｃ２を形成している。つまり、中間シート１２２Ｔと外側シート１２１Ｔは、取出部（ポンプ付きキャップ９０）と、シート材容器Ｃ２の底部２３Ｔとに亘って設けられている。
本実施形態における外側シート１２１Ｔ及び中間シート１２２Ｔは全体として透光性を有するものであるが、図１２に示すように、充填部４１Ｔ、４２Ｔ部分を透光部３４ｈ、背面及び正面部分を透光部３４ｉとして特に説明する。
【００４３】
本実施形態に係るシート材容器Ｃ２の充填部４１Ｔ、４２Ｔは、シート材容器Ｃ２における横幅方向の両側部分にそれぞれ配設されており、内側シート１２３Ｔの少なくとも一部に加飾が施された加飾部３６ｉ、３６ｊが設けられている。加飾部３６ｉ、３６ｊは、内側シート１２３Ｔのうち横幅方向における両側部分の間において、三次元的な形状で形成されている。
「三次元的な形状」とは、二次元的な形状である平面状に形成されたものを除くものであり、多面形状やＸＹＺ方向にそれぞれ延在する曲面形状を含む形状を意味するものである。加飾部３６ｉ、３６ｊの「三次元的な形状」としては、平面視において、シート材容器Ｃ２の外形の縦横比と異なる縦横比で形成されているとより好ましい。
【００４４】
充填部４１Ｔ、４２Ｔは、充填材として液体、気体が充填された場合には、充填された部材からの内圧によって、外面が曲面状になりやすい。このため、充填部４１Ｔ、４２Ｔをシート材容器Ｃ２の両側部分に配設した場合には、シート材容器Ｃ２の外形が丸みを帯びることになる。
そこで、充填部４１Ｔ、４２Ｔを含む外側シート１２１Ｔ及び中間シート１２２Ｔを、透光性を有するものとし、内側シート１２３Ｔの加飾部３６ｉ、３６ｊを三次元的な形状（本実施形態においては、角ばった花瓶状）として視認可能にする。すなわち、外側シート１２１Ｔ及び中間シート１２２Ｔにそれぞれ形成された透光部３４ｈ、３４ｉが、シート材容器Ｃ２の外方から見て互いに重なっており、透光部３４ｈ、３４ｉにより、内側シート１２３Ｔの加飾部３６ｉ、３６ｊを視認可能にする。このような構成により、外側シート１２１Ｔのみによる外観では表現できない特殊な美観をシート材容器Ｃ２に付与することができる。
【００４５】
このように、例えば花瓶状等の特殊な物品の形状に見せるように、内袋１０Ｔをデザインし、かつそのデザインを目立たせる構成であると好適である。例えば、外側シート１２１Ｔ及び中間シート１２２Ｔのうち、少なくとも充填部４１Ｔ、４２Ｔを形成する部位を透明に設計すれば、高い意匠性をシート材容器Ｃ２に付与することができる。
【００４６】
なお、本実施形態において、充填部４１Ｔ、４２Ｔは、シート材容器Ｃ２の横幅方向の両側部分に設けられているものとして説明したが、このような構成によれば、シート材容器Ｃ２の形状の安定性が高い点で好ましいが、本発明はこのような構成に限定されない。
例えば、上下方向、奥行方向の両側であってもよく、その方向は任意である。つまり、本発明に係る「両側」とは、任意の方向の両側を意味する。さらには、例えばピロー型の容器のように、充填部４１Ｔ、４２Ｔが任意の方向における両側の少なくとも一方に設けられているものであってもよい。
【００４７】
また、充填部４１Ｔ、４２Ｔは、図１０に示すように、取出部（ポンプ付きキャップ９０）と底部２３Ｔとを結ぶ方向に直交する方向の両側部分において底部２３Ｔから起立して設けられている。
「取出部」としては、ポンプ付きキャップ９０の他、スパウトのみであってもよい。
「取出部と底部とを結ぶ方向」は、本実施形態においては上下方向を示すものであるが、取出部に相当するスパウトやポンプ付きキャップ９０と底部２３Ｔとを結ぶ一直線的な方向に限定されるものではなく、ある程度幅を持った方向を規定するものである。例えば、上側の側面にスパウトやポンプ付きキャップ９０が取り付けられているケースであっても、上側と底部側とを結ぶ方向を指すものである。
また、充填部４１Ｔ、４２Ｔは、取出部（ポンプ付きキャップ９０）と底部２３Ｔとを結ぶ方向に直交する方向の両側部分において任意の位置に設けられていてもよいが、特に、両側部分のうち最も外縁の近傍、より好ましくは最も外縁に設けられていると好ましい。このような構成によれば、シート材容器Ｃ２の姿勢の安定性が高められることになる。
【００４８】
内側シート１２３Ｔは、図１２に示すように、シート材容器Ｃ２の両側部分にあり収容部１０Ｔａと充填部４１Ｔ、４２Ｔとの間において充填部４１Ｔ、４２Ｔに対向する対向面（奥行面１０Ｔｂ）と、シート材容器Ｃ２の両側部分にある対向面（奥行面１０Ｔｂ）の間にあり対向面（奥行面１０Ｔｂ）に交差する交差面（正面１０Ｔｃ及び背面１０Ｔｄ）と、を有する。
本実施形態に係る加飾部３６ｉ、３６ｊは、奥行面１０Ｔｂに設けられた加飾部３６ｉと、交差面（正面１０Ｔｃ及び背面１０Ｔｄ）に設けられた加飾部３６ｊとを含んで構成されており、対向面（奥行面１０Ｔｂ）と交差面とに連続して設けられている。加飾部３６ｉは、少なくとも対向面（奥行面１０Ｔｂ）に設けられているとよい。
【００４９】
上記構成によれば、充填部４１Ｔ、４２Ｔによって、丸みを帯びた外観形状となっても、充填部４１Ｔ、４２Ｔが透光部３４ｈを有することで、充填部４１Ｔ、４２の外観とは異なる、加飾部３６ｉの奥行きのある外観が透光部３４ｈを介して視認可能となる。
特に、奥行面１０Ｔｂに設けられた加飾部３６ｉと、背面１０Ｔｄに設けられた加飾部３６ｊよりも、シート材容器Ｃ２の横幅方向外側に、透光部３４ｈを有する丸みを帯びた充填部４１Ｔ、４２Ｔが設けられている。このため、丸みを帯びた充填部４１Ｔ、４２Ｔの外観と異なる、シート材容器Ｃ２の内部にある内袋１０Ｔが多面形状で角張ったような加飾部３６ｉ、３６ｊの外観が、透光部３４ｈを介して視認可能となり、意匠性が向上する。さらに、加飾部３６ｉと加飾部３６ｊは、シート材容器Ｃ２における正面側及び背面側のそれぞれにおいて、連続して設けられている。このような構成により、加飾部３６ｉ、３６ｊによって、花瓶のような一物品であるかのように外観として表現されている。
【００５０】
内側シート１２３Ｔは、収容部１０Ｔａを挟んだ両側に配設された中間シート１２２Ｔどうしに両側部分を挟持されている。内側シート１２３Ｔは、両側部分にある被挟持部（側端末１０Ｔｅ）と、中間シート１２２Ｔどうしに挟持されていない中央部分にある中央部（奥行面１０Ｔｂ、正面１０Ｔｃ、背面１０Ｔｄ）と、を有する。加飾部３６ｉ、３６ｊは、中央部（奥行面１０Ｔｂ、正面１０Ｔｃ、背面１０Ｔｄ）に設けられている。被挟持部（側端末１０Ｔｅ）においては、内側シート１２３Ｔが中間シート１２２Ｔに接合されていても、接合されていなくても構わない。
【００５１】
例えば、本実施形態に係る内側シート１２３Ｔの側端末１０Ｔｅには、加飾部が設けられておらず、奥行面１０Ｔｂ、正面１０Ｔｃ、背面１０Ｔｄに加飾部３６ｉ、３６ｊが設けられている。すなわち、内側シート１２３Ｔのうち、収容部１０Ｔａを構成する部分にのみ加飾部３６ｉ、３６ｊが設けられ、収容部１０Ｔａから両側に延出した内側シート１２３Ｔの側端末１０Ｔｅには、加飾部が設けられていない。このような構成によれば、奥行方向の両側において延在する奥行面１０Ｔｂどうしが、あたかも奥行方向に連続した形状であるかのように見せることができる。
しかしながら、本発明はこのような構成に限定されず、加飾部３６ｉ、３６ｊが少なくとも中央部（奥行面１０Ｔｂ、正面１０Ｔｃ、背面１０Ｔｄ）に設けられて、奥行方向に連続した形状であるような視覚効果を奏すればよい。例えば、被挟持部（側端末１０Ｔｅ）に加飾部が設けられていてもよい。このとき、加飾部３６ｉは、被挟持部に設けられた加飾部とは分離した異なる加飾であると、シート材容器Ｃ２における正面側と背面側とにおいて、あたかも連続して形成しているように表現できるため好適である。
【００５２】
〔第４実施形態〕
次に、第４施形態に係るシート材容器Ｃ３について、図１３〜図１５を参照して説明する。
図１３は、第４実施形態に係るシート材容器Ｃ３を示す正面図である。図１４（ａ）は、シート材容器Ｃ３の内袋１０Ｕを構成する内側シート１２３Ｕの展開状態の平面図、図１４（ｂ）は、外側シート１２１Ｕの展開状態の平面図（外面側）を示す図、図１４（ｃ）は、中間シート１２２Ｕの展開状態の平面図（外面側）を示す図である。図１５は、外側シート１２１Ｕの一部と中間シート１２２Ｕの一部を接合して充填部４１Ｕ、４２Ｕを形成した状態を示す展開状態の平面図（内面側）を示す図である。
【００５３】
シート材容器Ｃ３は、外側シート１２１Ｕ、中間シート１２２Ｕ、内側シート１２３Ｕに設けられた加飾部（外側加飾部３６ｋ、中間加飾部３６ｍ及び加飾部３６ｎ）が組み合わせられることによって美的効果を生じさせる容器である。
本実施形態に係るシート材容器Ｃ３は、図１３〜図１５に示すように、内側シート１２３Ｕと、内側シート１２３Ｕの外側を覆う中間シート１２２Ｕと、中間シート１２２Ｕの外側を覆う外側シート１２１Ｕと、を含む積層シート１２０Ｕで構成されている。
外側シート１２１Ｕと中間シート１２２Ｕとの間には、充填材が封入された充填部４１Ｕ、４２Ｕが一部に形成されている。
【００５４】
図１３及び図１４（ａ）、（ｂ）に示すように、本実施形態に係るシート材容器Ｃ３においては、内側シート１２３Ｕに加飾が施された加飾部３６ｎが設けられている。また、外側シート１２１Ｕに加飾が施された外側加飾部３６ｋが設けられている。
内側シート１２３Ｕの加飾部３６ｎは、シート材容器Ｃ３の外方から見て、中間シート１２２Ｕ及び外側シート１２１Ｕのそれぞれの透光部３４ｊ、３４ｋに重なる位置にあり、透光部３４ｊ、３４ｋによりシート材容器Ｃ３の外方から可視光が透過する位置にある。
加飾部３６ｎと、透光部３４ｊとの間、及び、透光部３４ｊと透光部３４ｋの間に透光性を有しない部材が設けられていない。一方で、透光性を有する部位を少なくとも備える部材であれば、内側シート１２３Ｕと中間シート１２２Ｕとの間、又は中間シート１２２Ｕと外側シート１２１Ｕとの間における、加飾部３６ｎと透光部３４ｊ、３４ｋとの間に当該部材が設けられていてもよい。
このように構成されていることで、可視光は、中間シート１２２Ｕ及び外側シート１２１Ｕにおける透光部３４ｊ、３４ｋを介して、内側シート１２３Ｕの加飾部３６ｎに透過可能となる。
【００５５】
本実施形態に係るシート材容器Ｃ３においては、内側シート１２３Ｕ（内袋１０Ｕ）全体が有彩色を有している。つまり、有彩色によって加飾された加飾部３６ｎは、内側シート１２３Ｕの全体に形成されている。本発明はこのような構成に限定されず、内側シート１２３Ｕの外表面のみに有彩色が施されていてもよく、一部にのみに有彩色、無彩色又は模様が施されていてもよく、また透光性の有無を問わないものである。
【００５６】
上記構成によれば、内側シート１２３Ｕに設けられた加飾部３６ｎに対して透光部３４ｋ、３４ｊによって可視光を透過可能とすることで、外側シート１２１Ｕに設けられた外側加飾部３６ｋによる加飾効果に加えて、加飾部３６ｎによる追加的な加飾効果をシート材容器Ｃに付与することが可能となる。
【００５７】
プラスチック容器と、プラスチック容器の内側に配設される剥離フィルムと、から構成される不図示の一般的なデラミボトルでは、プラスチック容器と剥離フィルムとが、一つのパリソンから成形される。そして、剥離フィルムとプラスチック容器の内面とによって閉空間が形成されるため、剥離フィルムのプラスチック容器の対向面側に装飾を加えることは困難である。
一方で、本実施形態に係るシート材容器Ｃ３は、積層シート１２０Ｕによって構成されており、内側シート１２３Ｕ、中間シート１２２Ｕ及び内側シート１２３Ｕを個別に形成して一部を接合することによって積層シート１２０Ｕを形成できる。このため、積層シート１２０Ｕを形成する前段階において、内側シート１２３Ｕに加飾部３６ｎを設けることが可能となる。
【００５８】
また、本実施形態においては、内側シート１２３Ｕに加飾が施された加飾部３６ｎ、及び中間シート１２２Ｕに加飾が施された中間加飾部３６ｍが設けられている。加飾部３６ｎは、シート材容器Ｃ３の外方から見て、中間シート１２２Ｕ及び外側シート１２１Ｕのそれぞれの透光部３４ｊ、３４ｋに重なる位置にあり、中間加飾部３６ｍは、シート材容器Ｃ３の外方から見て、外側シート１２１Ｕの透光部３４ｋに重なる位置にある。
先に説明したように、加飾部３６ｎ及び中間加飾部３６ｍは、透光部３４ｋ、３４ｊにより、シート材容器Ｃ３の外方から可視光が透過する位置にある。
中間加飾部３６ｍと、透光部３４ｋの少なくとも一部との間に透光性を有しない部材が設けられていない。一方で、透光性を有する部位を少なくとも備える部材であれば、中間シート１２２Ｕと外側シート１２１Ｕとの間における、中間加飾部３６ｍと透光部３４ｋとの間に当該部材が設けられていてもよい。
このように構成されていることで、可視光は、外側シート１２１Ｕにおける透光部３４ｋを介して、中間シート１２２Ｕの中間加飾部３６ｍに透過可能となる。
【００５９】
上記構成によれば、内側シート１２３Ｕに設けられた加飾部３６ｎに対して透光部３４ｋ、３４ｊによって可視光を透過可能とすること、及び中間シート１２２Ｕに設けられた中間加飾部３６ｍに対して透光部３４ｋによって可視光を透過可能とすることで、外側シート１２１Ｕに設けられた外側加飾部３６ｋによる加飾効果に加えて、中間加飾部３６ｍ及び加飾部３６ｎによる追加的な加飾効果をシート材容器Ｃ３に付与することが可能となる。
【００６０】
また、本実施形態に係る中間シート１２２Ｕに加飾が施された中間加飾部３６ｍが設けられ、外側シート１２１Ｕに加飾が施された外側加飾部３６ｋが設けられ、外側シート１２１Ｕに透光部３４ｋが設けられている。中間加飾部３６ｍは、シート材容器Ｃ３の外方から見て、外側シート１２１Ｕの透光部３４ｋに重なる位置にあり、透光部３４ｋによりシート材容器Ｃ３の外方から可視光が透過する位置にある。
【００６１】
上記構成によれば、中間シート１２２Ｕに設けられた中間加飾部３６ｍに対して透光部３４ｋによって可視光を透過可能とすることで、外側シート１２１Ｕに設けられた外側加飾部３６ｋによる加飾効果に加えて、中間加飾部３６ｍによる追加的な加飾効果をシート材容器Ｃ３に付与することが可能となる。
【００６２】
また、本実施形態に係るシート材容器Ｃ３は、内側シート１２３Ｕに加飾が施された加飾部３６ｎ、中間シート１２２Ｕに加飾が施された中間加飾部３６ｍ、及び外側シート１２１Ｕに加飾が施された外側加飾部３６ｋが設けられている。
加飾部３６ｎは、シート材容器Ｃ３の外方から見て、中間シート１２２Ｕ及び外側シート１２１Ｕのそれぞれの透光部３４ｊ、３４ｋに重なる位置にある。
中間加飾部３６ｍは、シート材容器Ｃ３の外方から見て、外側シート１２１Ｕの透光部３４ｋに重なる位置にある。
加飾部３６ｎ、中間加飾部３６ｍ及び外側加飾部３６ｋのそれぞれは、透光部３４ｋ、３４ｊを介して、若しくは透光部３４ｊを介して、シート材容器Ｃ３の外方から可視光が透過する位置、又は直接可視光に当たる位置にある。
上記構成によれば、加飾部３６ｎに対して透光部３４ｋ、３４ｊによって可視光を透過可能とし、中間加飾部３６ｍに対して透光部３４ｋによって可視光を透過可能とすることで、外側加飾部３６ｋによる加飾効果に加えて、中間加飾部３６ｍ、加飾部３６ｎによる追加的な加飾効果をシート材容器Ｃ３に付与することが可能となる。
【００６３】
中間加飾部３６ｍ及び外側加飾部３６ｋの少なくとも一部は、透光性を有し、シート材容器Ｃ３の外方から見て、内側シート１２３Ｕに設けられた加飾部３６ｎの少なくとも一部に重ねられている。加飾部３６ｎ、中間加飾部３６ｍ及び外側加飾部３６ｋのそれぞれは、重なった状態でシート材容器Ｃ３の外方から可視光が透過する位置にある。
上記構成によれば、加飾部３６ｎ、中間加飾部３６ｍ及び外側加飾部３６ｋのいずれか複数が重なった状態で、シート材容器Ｃ３の外方から視認可能となるため、高い意匠効果を付与することができる。
【００６４】
〔第５実施形態〕
次に、第５施形態に係るシート材容器Ｃ４（内容物詰めシート材容器ＣＡ４）について、図１６〜図１９を参照して説明する。
図１６は、第５実施形態に係る内容物詰めシート材容器ＣＡ４（シート材容器Ｃ４）を示す正面図、図１７は、内容物詰めシート材容器ＣＡ４の断面図であり、図１６のXVII-XVII断面を示す図である。図１８は、加飾部３６ｐが露出した状態のシート材容器Ｃ４を示す正面図、図１９は、逆止弁付きのポンプ付きキャップ９０を示す模式的な部分断面図である。
【００６５】
シート材容器Ｃ４（内容物詰めシート材容器ＣＡ４）は、収容部１０ａ内の内容物９６が少なくなったときに、加飾部３６ｐをシート材容器Ｃ４の外方に露出させる機能を有する容器である。
本実施形態に係るシート材容器Ｃ４は、図１６〜図１９に示すように、内側シート１２３Ｖと、内側シート１２３Ｖの外側を覆う中間シート１２２Ｖと、中間シート１２２Ｖの外側を覆う外側シート１２１Ｖと、を含む積層シート１２０Ｖで構成されている。外側シート１２１Ｖと中間シート１２２Ｖとの間には、充填材が封入された充填部４１、４２が一部に形成されている。さらに、シート材容器Ｃ４は、内容物９６を収容部１０ａから外部に吐出可能とするポンプ付きキャップ９０を備える。
【００６６】
内容物詰めシート材容器ＣＡ４（シート材容器Ｃ４）は、内側シート１２３Ｖ、中間シート１２２Ｖ又は外側シート１２１Ｖの少なくともいずれかに加飾が施された加飾部３６ｐが設けられている（本実施形態においては、内側シート１２３Ｖに加飾部３６ｐが設けられている例を示す）。また、これらのシートの複数に加飾部３６ｐが設けられていてもよい。
具体的には、加飾部３６ｐは、シート材容器Ｃ４において収容部１０ａを挟んだ両側のうち少なくとも一方側（本実施形態においては、背面側）に設けられている。
内側シート１２３Ｖの周縁の少なくとも一部どうしが接合されることによって、内側シート１２３Ｖは内袋１０Ｖを形成している。そして、本実施形態に係る加飾部３６ｐは、内袋１０Ｖの背面側の内面に設けられている。
【００６７】
内側シート１２３Ｖは透光部３４ｐ、中間シート１２２Ｖは透光部３４ｎ、及び外側シート１２１Ｖは透光部３４ｍを有する。
具体的には、透光部３４ｍ、３４ｎ、３４ｐは、外側シート１２１Ｖ、中間シート１２２Ｖ及び内側シート１２３Ｖのすべてにおいて、シート材容器Ｃ４における一方側の逆側（本実施形態においては、正面側）から加飾部３６ｐに重なる部位に設けられている。
透光部３４ｍ、３４ｎ、３４ｐのそれぞれの間に、内容物９６は別として、透光性を有しない部材が設けられていない。一方で、透光性を有する部位を少なくとも備える部材であれば、内側シート１２３Ｖと中間シート１２２Ｖとの間、又は中間シート１２２Ｖと外側シート１２１Ｖとの間における、加飾部３６ｐと透光部３４ｍ、３４ｎ、３４ｐとの間に当該部材が設けられていてもよい。
このように構成されていることで、内容物９６が収容されていない場合、及び透光性を有する内容物９６が収容されている場合、内容物詰めシート材容器ＣＡ４の正面側から透光部３４ｍ、３４ｎ、３４ｐを介して、加飾部３６ｐに可視光が透過可能となる。
【００６８】
上記構成によれば、透光性を有さない、又は加飾部３６ｐと同色又は同系色の内容物９６が収容部１０ａ内に収容されているときは、図１６に示すように、加飾部３６ｐを内容物詰めシート材容器ＣＡ４の外部に露出させないようにできる。一方で、収容部１０ａ内から内容物９６から減って、収容部１０ａ（内袋１０Ｖ）が奥行方向で収縮したときや、図１８に示すように内容物９６が収容部１０ａからなくなったときに、加飾部３６ｐを露出させることが可能となる。つまり、使用者は、加飾部３６ｐを視認することで、内容物９６の減り具合を確認することができる。
【００６９】
また、本実施形態においては、加飾部３６ｐがシート材容器Ｃ４の背面側（一方側）にのみ設けられる構成について説明したが、シート材容器Ｃ４の正面側（逆側）にも加飾部が設けられていてもよい。つまり、加飾部は、シート材容器Ｃ４において収容部１０ａを挟んだ両側に設けられていてもよい。
このような構成によれば、収容部１０ａ内から内容物９６から減って、収容部１０ａ（内袋１０Ｖ）が奥行方向で収縮したときや、液面が下がったときに、背面側の加飾部３６ｐを露出させて、正面側の加飾部と重ね合わせて、追加的な加飾効果をシート材容器Ｃ４に付与することが可能となる。
【００７０】
本実施形態に係る内側シート１２３Ｖの一部は、中間シート１２２Ｖから離間可能であり、内袋１０Ｖの容積は、内容物９６の収容量に応じて増減可能である。内袋１０Ｖには、逆止弁８０が取り付けられている。この逆止弁８０は、内袋１０Ｖから内容物９６を吐出することを可能としつつ、内袋１０Ｖ内に空気が逆流することを防ぐ向きで取り付けられている。
【００７１】
本実施形態においては、逆止弁８０は、図１９に示すように、押下部９３と送液チューブ９５とを有するポンプ付きキャップ９０に設けられている。そして、ポンプ付きキャップ９０のキャップ部９１がスパウト３０に取り付けられ、内袋１０Ｖにポンプ付きキャップ９０が取り付けられることによって、逆止弁８０が間接的に内袋１０Ｖに取り付けられている。
具体的には、本実施形態に係る逆止弁８０は、シリンダ部８０ａと、シリンダ部８０ａ内を往復動可能なピストン部８０ｂと、ピストン部８０ｂを突出位置に押し戻すスプリング８０ｃと、下部に設けられた球体状の吸入弁８０ｄと、上部に設けられた球体状の吐出弁８０ｅと、から構成されている。
【００７２】
使用者が、押下部９３を下方に押し込むと、押下部９３に接続されたピストン部８０ｂが、スプリング８０ｃの付勢に反して下方に移動する。このとき、ピストン部８０ｂ下方の空間内の圧力が高まり、吐出弁８０ｅがピストン部８０ｂから上方に瞬時的に浮かぶことになる。
使用者が、押下部９３の押し込みを解除すると、シリンダ部８０ａの付勢によってピストン部８０ｂが上方に移動する。このとき、ピストン部８０ｂ下方の空間の圧力が低下することで、吸入弁８０ｄが上方に瞬時的に浮かぶ。
吸入弁８０ｄが浮かぶことで連通した隙間から、圧力が低下したシリンダ部８０ａ内に送液チューブ９５を介して内容物９６が吸い上がることになる。そして、吸入弁８０ｄは、自重によって下方に移動することで、下方に空気が移動して内袋１０Ｖ内に入り込むことを抑制する。
さらに使用者が、押下部９３を下方に押し込んで、ピストン部８０ｂ下方の空間内の圧力が高まると、吐出弁８０ｅがピストン部８０ｂから上方に浮かぶことで連通した隙間から、ノズル部９４に内容物９６が供給され、内容物９６はノズル部９４から吐出されることになる。
【００７３】
このように、内袋１０Ｖに逆止弁８０が取り付けられていると、内容物９６の量に応じて内袋１０Ｖの内容積が増減する。この場合に、仮に外側シート１２１Ｖ又は中間シート１２２Ｖが透光性を有しなければ、内袋１０Ｖ内の内容物９６の内容量を確認することが困難である。
一方で、本実施形態に係るシート材容器Ｃ４においては、内側シート１２３Ｖ、中間シート１２２Ｖ及び外側シート１２１Ｖのすべてにおいて、シート材容器Ｃ４における正面側に透光部３４ｍ、３４ｎ、３４ｐが設けられている。このため、使用者は、透光部３４ｍ、３４ｎ、３４ｐを介して、内容物９６の内容量によって変化する内袋１０Ｖの外形を確認して内容物９６の内容量を確認することが可能となる。
さらに、本実施形態に係るシート材容器Ｃ４においては、上記のように、収容部１０ａ内から内容物９６から減ったときに、加飾部３６ｐを露出させることが可能となる。つまり、使用者は、加飾部３６ｐを視認することで、内容物９６の減り具合を確認することができる。
【００７４】
本発明に係る「逆止弁」は、空気の内袋１０Ｖへの流入を防止できれば、上記構成に係る逆止弁８０に限定されない。例えば、内袋１０Ｖに直接取り付けられるようなダックビル弁その他の構造の逆止弁を適用することができ、スパウト３０に設けるようにしても良い。
【００７５】
また、上記の実施形態に係るシート材容器を構成する外側シート１２１、１２１Ｓ、１２１Ｔ、１２１Ｕ、１２１Ｖ、中間シート１２２、１２２Ｓ、１２２Ｔ、１２２Ｕ、１２２Ｖ及び内側シート１２３、１２３Ｓ、１２３Ｔ、１２３Ｕ、１２３Ｖの各シートとしては、合成樹脂フィルムを用いることができ、例えば、ポリエステル系、ポリアミド系、ポリプロピレン系等の樹脂を用いることができる。尤も、内容物を収容する容器としての機能を有するものであれば、これに限定されない。
また、上記の実施形態に係る外側シート１２１、１２１Ｓ、１２１Ｔ、１２１Ｕ、１２１Ｖ、中間シート１２２、１２２Ｓ、１２２Ｔ、１２２Ｕ、１２２Ｖ及び内側シート１２３、１２３Ｓ、１２３Ｔ、１２３Ｕ、１２３Ｖの各シートは、更に積層された層から成るものであってもよい。例えば、これらの層としては、ポリエチレンテレフタレート（ＰＥＴ）若しくは延伸ナイロン（ＯＮｙ）の層、シリカ及びアルミナが蒸着されたポリエチレンテレフタレートにより構成された透明蒸着ＰＥＴの層、延伸ナイロンの層、若しくは直鎖状低密度ポリエチレン（ＬＬＤＰＥ）、又はこれらの組み合わせが想定される。
そして、各シートに設けられる加飾部は、積層された層の一部の層にのみに設けられていてもよい。また、シート材容器は、上記の各シート以外に他のシートを追加的に備えていてもよい。
【００７６】
上記実施形態は、以下の技術思想を包含する。
＜１＞内容物を収容する収容部を有して、積層シートで構成されたシート材容器であって、
前記積層シートは、
内側シートと、
該内側シートの外側を覆う中間シートと、
該中間シートの外側を覆う外側シートと、を含んで、前記収容部を挟んだ両側に配設されており、
前記内側シートの周縁の少なくとも一部どうしが接合されることによって、前記内側シートは内袋を形成しており、
前記外側シートと前記中間シートとには、互いに部分的に接合された接合部と、非接合とされた非接合部とがあり、
該非接合部における前記外側シートと前記中間シートとの間に充填材が封入された充填部が形成されており、
前記外側シート及び前記中間シートのそれぞれの少なくとも一部に、可視光を透過可能な透光部が設けられており、
前記外側シート及び前記中間シートのそれぞれの前記透光部は、前記シート材容器の外方から見て互いに重なる部分を有しており、
前記内側シート又は前記内容物は、前記透光部により前記シート材容器の外方から視認可能に構成されていることを特徴とするシート材容器。
＜２＞前記内側シートの一部は、前記中間シートから離間可能である＜１＞に記載のシート材容器。
＜３＞前記内側シートの一部は、前記中間シートから離間可能であり、
前記内袋の容積は、前記内容物の収容量に応じて増減可能である＜１＞に記載のシート材容器。
＜４＞前記透光部は、前記外側シート及び前記中間シートに設けられた開口である＜１＞から＜３＞のいずれか一項に記載のシート材容器。
＜５＞前記開口は、前記外側シート及び前記中間シートにおける折り返されて対向する周縁部間の隙間である＜４＞に記載のシート材容器。
＜６＞前記外側シート及び前記中間シートの双方の前記透光部は、前記内側シートの少なくとも一部に対して、前記シート材容器の外方からの可視光を直線的に透過可能な位置に配設されている＜１＞から＜５＞いずれか一項に記載のシート材容器。
＜７＞前記透光部は、前記外側シート及び前記中間シートのそれぞれにおける前記充填部を形成している前記非接合部に設けられており、
前記内側シートの少なくとも一部に加飾が施された加飾部が設けられており、
該加飾部は、
前記シート材容器の外方から見て前記透光部に重なる位置に形成されており、
前記透光部により前記シート材容器の外方から可視光が透過する位置にある＜１＞から＜３＞のいずれか一項に記載のシート材容器。
＜８＞前記透光部は、前記外側シートにおける前記充填部を形成している前記非接合部に設けられており、
前記中間シートの少なくとも一部に加飾が施された中間加飾部が設けられており、
該中間加飾部は、
前記シート材容器の外方から見て前記外側シートに設けられた前記透光部に重なる位置に形成されており、
前記透光部により前記シート材容器の外方から可視光が透過する位置にある＜１＞から＜３＞のいずれか一項に記載のシート材容器。
＜９＞前記外側シートのうち前記充填部を形成している前記非接合部に加飾が施された外側加飾部が設けられている＜８＞に記載のシート材容器。
＜１０＞前記充填部は、凹凸形状を有して、
前記外側加飾部は、前記凹凸形状の部位を含んで形成されている＜９＞に記載のシート材容器。
＜１１＞前記充填部は、前記シート材容器における両側部分の少なくとも一方に配設されており、
前記内側シートの少なくとも一部に加飾が施された加飾部が設けられており、
該加飾部は、前記内側シートのうち前記両側部分の間において、三次元的な形状で形成されている＜１＞から＜６＞のいずれか一項に記載のシート材容器。
＜１２＞前記充填部は、前記シート材容器における前記両側部分にそれぞれ設けられている＜１１＞に記載のシート材容器。
＜１３＞前記内袋に接続されて、前記内容物を外部に吐出可能な取出部を備え、
前記中間シートと前記外側シートは、前記取出部と、前記シート材容器の底部とに亘って設けられており、
前記充填部は、前記取出部と前記底部とを結ぶ方向に直交する方向の前記両側部分において前記底部から起立して設けられている＜１１＞又は＜１２＞に記載のシート材容器。
＜１４＞前記内側シートは、
前記シート材容器の前記両側部分にあり前記収容部と前記充填部との間において前記充填部に対向する対向面と、
前記シート材容器の前記両側部分にある前記対向面の間にあり前記対向面に交差する交差面と、を有し、
前記加飾部は、少なくとも前記対向面に設けられている＜１１＞から＜１３＞のいずれか一項に記載のシート材容器。
＜１５＞前記加飾部は、前記対向面と前記交差面とに設けられており、多面形状に形成されている＜１４＞に記載のシート材容器。
＜１６＞前記加飾部は、前記対向面と前記交差面とに連続して設けられた部位を含む＜１５＞に記載のシート材容器。
＜１７＞前記内側シートは、
前記収容部を挟んだ両側に配設された前記中間シートどうしに前記両側部分を挟持されており、
前記両側部分にある被挟持部と、
前記中間シートどうしに挟持されていない中央部分にある中央部と、を有し、
前記加飾部は、前記中央部に設けられている＜１１＞から＜１６＞のいずれか一項に記載のシート材容器。
＜１８＞前記内側シートに加飾が施された加飾部が設けられており、
前記内側シートの前記加飾部は、前記シート材容器の外方から見て、前記中間シート及び前記外側シートのそれぞれの前記透光部に重なる位置にあり、前記透光部により前記シート材容器の外方から可視光が透過する位置にある＜１＞から＜６＞のいずれか一項に記載のシート材容器。
＜１９＞前記内側シートに加飾が施された加飾部が設けられ、
前記外側シートに加飾が施された外側加飾部が設けられており、
前記加飾部は、前記シート材容器の外方から見て、前記中間シート及び前記外側シートのそれぞれの前記透光部に重なる位置にあり、前記透光部により前記シート材容器の外方から可視光が透過する位置にある＜１＞から＜６＞のいずれか一項に記載のシート材容器。
＜２０＞前記内側シートに加飾が施された加飾部が設けられ、
前記中間シートに加飾が施された中間加飾部が設けられており、
前記加飾部は、前記シート材容器の外方から見て、前記中間シート及び前記外側シートのそれぞれの前記透光部に重なる位置にあり、
前記中間加飾部は、前記シート材容器の外方から見て、前記外側シートの前記透光部に重なる位置にあり、
前記加飾部及び前記中間加飾部は、前記透光部により前記シート材容器の外方から可視光が透過する位置にある＜１＞から＜６＞のいずれか一項に記載のシート材容器。
＜２１＞前記中間シートに加飾が施された中間加飾部が設けられ、
前記外側シートに加飾が施された外側加飾部が設けられており、
前記中間加飾部は、前記シート材容器の外方から見て、前記外側シートの前記透光部に重なる位置にあり、前記透光部により前記シート材容器の外方から可視光が透過する位置にある＜１＞から＜６＞のいずれか一項に記載のシート材容器。
＜２２＞前記内側シートに加飾が施された加飾部が設けられ、
前記中間シートに加飾が施された中間加飾部が設けられ、
前記外側シートに加飾が施された外側加飾部が設けられており、
前記加飾部は、前記シート材容器の外方から見て、前記中間シート及び前記外側シートのそれぞれの前記透光部に重なる位置にあり、
前記中間加飾部は、前記シート材容器の外方から見て、前記外側シートの前記透光部に重なる位置にあり、
前記加飾部、前記中間加飾部及び前記外側加飾部のそれぞれは、前記透光部により前記シート材容器の外方から可視光が透過する位置にある＜１＞から＜６＞のいずれか一項に記載のシート材容器。
＜２３＞前記加飾部、前記中間加飾部及び前記外側加飾部は、前記内側シートと前記中間シートと前記外側シートとの位置関係に応じた異なる加飾表現である＜２２＞に記載のシート材容器。
＜２４＞前記中間加飾部及び前記外側加飾部の少なくとも一部は、透光性を有し、前記シート材容器の外方から見て、前記内側シートに設けられた前記加飾部の少なくとも一部に重ねられており、
前記加飾部、前記中間加飾部及び前記外側加飾部のそれぞれは、重なった状態で前記シート材容器の外方から可視光が透過する位置にある＜２２＞又は＜２３＞に記載のシート材容器。
＜２５＞前記内側シート、前記中間シート又は前記外側シートの少なくともいずれかに加飾が施された加飾部が設けられ、
該加飾部は、前記シート材容器において前記収容部を挟んだ両側のうち少なくとも一方側に設けられており、
前記透光部は、前記内側シート、前記中間シート及び前記外側シートのすべてにおいて、前記シート材容器における前記一方側の逆側から前記加飾部に重なる部位に設けられている＜１＞から＜６＞のいずれか一項に記載のシート材容器。
＜２６＞前記加飾部は、前記シート材容器において前記収容部を挟んだ両側に設けられている＜２５＞に記載のシート材容器。
＜２７＞前記内側シートの一部は、前記中間シートから離間可能であり、
前記内袋の容積は、前記内容物の収容量に応じて増減可能であり、
前記内袋には、逆止弁が取り付けられており、
該逆止弁は、前記内袋から前記内容物を吐出することを可能としつつ、前記内袋内に空気が逆流することを防ぐ向きで取り付けられている＜２５＞又は＜２６＞に記載のシート材容器。
＜２８＞＜１＞から＜２７＞のいずれか一項に記載のシート材容器と、
前記収容部に収容された前記内容物と、を備える内容物詰めシート材容器。
＜２９＞前記内側シート、前記中間シート又は前記外側シートの少なくともいずれかに加飾が施された加飾部が設けられており、
該加飾部は、
前記シート材容器の外方から見て前記透光部に重なる位置に形成されており、
前記透光部により前記シート材容器の外方から可視光が透過する位置にあり、
前記内容物は、前記加飾部の色と同色又は同系色である＜２８＞に記載の内容物詰めシート材容器。
【符号の説明】
【００７７】
１０、１０Ｓ、１０Ｔ、１０Ｕ、１０Ｖ  内袋
１０ａ、１０Ｔａ  収容部
１０Ｔｂ  奥行面（対向面）
１０Ｔｃ  正面（交差面）
１０Ｔｄ  背面（交差面）
１０Ｔｅ  側端末（被挟持部）
１４  開口部
２２  天井部
２３Ｔ  底部
２４、２４ａ  開口部
２５  接合部
２６  開口
３０  スパウト
３４ａ、３４ｂ、３４ｃ、３４ｄ、３４ｅ、３４ｆ、３４ｇ、３４ｈ、３４ｉ、３４ｊ、３４ｋ、３４ｍ、３４ｎ、３４ｐ  透光部
３６ａ、３６ｈ、３６ｉ、３６ｊ、３６ｎ、３６ｐ  加飾部
３６ｂ、３６ｃ、３６ｄ、３６ｍ  中間加飾部（加飾部）
３６ｅ、３６ｆ、３６ｇ、３６ｋ  外側加飾部（加飾部）
４１、４１Ｓ、４１Ｔ  充填部
４２、４２Ｓ、４２Ｔ  充填部
４４Ｓ  充填部
６１Ｓ  非接合部
６２、６２Ｓ  非接合部
６４Ｓ  非接合部
８０  逆止弁
８０ａ  シリンダ部
８０ｂ  ピストン部
８０ｃ  スプリング
８０ｄ  吸入弁
８０ｅ  吐出弁
９０  ポンプ付きキャップ（取出部）
９１  キャップ部
９３  押下部
９４  ノズル部
９５  送液チューブ
９６  内容物
１２０、１２０Ｓ、１２０Ｔ、１２０Ｕ、１２０Ｖ  積層シート
１２１、１２１Ｓ、１２１Ｔ、１２１Ｕ、１２１Ｖ  外側シート
１２２、１２２Ｓ、１２２Ｔ、１２２Ｕ、１２２Ｖ  中間シート
１２３、１２３Ｓ、１２３Ｔ、１２３Ｕ、１２３Ｖ  内側シート
Ｃ、Ｃ１、Ｃ２、Ｃ３、Ｃ４  シート材容器
ＣＡ、ＣＡ１、ＣＡ２、ＣＡ４  内容物詰めシート材容器
【図１】
2020012606.tif 000003
【図２】
2020012606.tif 000004
【図３】
2020012606.tif 000005
【図４】
2020012606.tif 000006
【図５】
2020012606.tif 000007
【図６】
2020012606.tif 000008
【図７】
2020012606.tif 000009
【図８】
2020012606.tif 000010
【図９】
2020012606.tif 000011
【図１０】
2020012606.tif 000012
【図１１】
2020012606.tif 000013
【図１２】
2020012606.tif 000014
【図１３】
2020012606.tif 000015
【図１４】
2020012606.tif 000016
【図１５】
2020012606.tif 000017
【図１６】
2020012606.tif 000018
【図１７】
2020012606.tif 000019
【図１８】
2020012606.tif 000020
【図１９】
2020012606.tif 000021
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
内容物を収容する収容部を有して、積層シートで構成されたシート材容器であって、
前記積層シートは、
内側シートと、
該内側シートの外側を覆う中間シートと、
該中間シートの外側を覆う外側シートと、を含んで、前記収容部を挟んだ両側に配設されており、
前記内側シートの周縁の少なくとも一部どうしが接合されることによって、前記内側シートは内袋を形成しており、
前記外側シートと前記中間シートとには、互いに部分的に接合された接合部と、非接合とされた非接合部とがあり、
該非接合部における前記外側シートと前記中間シートとの間に充填材が封入された充填部が形成されており、
前記外側シート及び前記中間シートのそれぞれの少なくとも一部に、可視光を透過可能な透光部が設けられており、
前記外側シート及び前記中間シートのそれぞれの前記透光部は、前記シート材容器の外方から見て互いに重なる部分を有しており、
前記内側シート又は前記内容物は、前記透光部により前記シート材容器の外方から視認可能に構成されていることを特徴とするシート材容器。
【請求項２】
前記内側シートの一部は、前記中間シートから離間可能である請求項１に記載のシート材容器。
【請求項３】
前記透光部は、前記外側シート及び前記中間シートに設けられた開口である請求項１又は２に記載のシート材容器。
【請求項４】
前記透光部は、前記外側シート及び前記中間シートのそれぞれにおける前記充填部を形成している前記非接合部に設けられており、
前記内側シートの少なくとも一部に加飾が施された加飾部が設けられており、
該加飾部は、
前記シート材容器の外方から見て前記透光部に重なる位置に形成されており、
前記透光部により前記シート材容器の外方から可視光が透過する位置にある請求項１又は２に記載のシート材容器。
【請求項５】
前記透光部は、前記外側シートにおける前記充填部を形成している前記非接合部に設けられており、
前記中間シートの少なくとも一部に加飾が施された中間加飾部が設けられており、
該中間加飾部は、
前記シート材容器の外方から見て前記外側シートに設けられた前記透光部に重なる位置に形成されており、
前記透光部により前記シート材容器の外方から可視光が透過する位置にある請求項１又は２に記載のシート材容器。
【請求項６】
前記内側シートに加飾が施された加飾部が設けられており、
前記内側シートの前記加飾部は、前記シート材容器の外方から見て、前記中間シート及び前記外側シートのそれぞれの前記透光部に重なる位置にあり、前記透光部により前記シート材容器の外方から可視光が透過する位置にある請求項１から３のいずれか一項に記載のシート材容器。
【請求項７】
前記内側シートに加飾が施された加飾部が設けられ、
前記中間シートに加飾が施された中間加飾部が設けられており、
前記加飾部は、前記シート材容器の外方から見て、前記中間シート及び前記外側シートのそれぞれの前記透光部に重なる位置にあり、
前記中間加飾部は、前記シート材容器の外方から見て、前記外側シートの前記透光部に重なる位置にあり、
前記加飾部及び前記中間加飾部は、前記透光部により前記シート材容器の外方から可視光が透過する位置にある請求項１から３のいずれか一項に記載のシート材容器。
【請求項８】
前記中間シートに加飾が施された中間加飾部が設けられ、
前記外側シートに加飾が施された外側加飾部が設けられており、
前記中間加飾部は、前記シート材容器の外方から見て、前記外側シートの前記透光部に重なる位置にあり、前記透光部により前記シート材容器の外方から可視光が透過する位置にある請求項１から３のいずれか一項に記載のシート材容器。
【請求項９】
前記内側シート、前記中間シート又は前記外側シートの少なくともいずれかに加飾が施された加飾部が設けられ、
該加飾部は、前記シート材容器において前記収容部を挟んだ両側のうち少なくとも一方側に設けられており、
前記透光部は、前記内側シート、前記中間シート及び前記外側シートのすべてにおいて、前記シート材容器における前記一方側の逆側から前記加飾部に重なる部位に設けられている請求項１から３のいずれか一項に記載のシート材容器。
【請求項１０】
請求項１から９のいずれか一項に記載のシート材容器と、
前記収容部に収容された前記内容物と、を備える内容物詰めシート材容器。
【国際調査報告】
2020012606.tif 000022
2020012606.tif 000023
2020012606.tif 000024